(57)【要約】      （修正有）【課題】作業機の前に装着され、一行程で圃場の膨軟化と砕土や施肥播種などを可能とする前装対地作業機に関し、一般的な作業機が通常置かれている低い状態でも簡単に取り付けられ、トラクターと作業機の位置が離れずに畦合せが容易とする。【解決手段】主枠２に対し上下動可能な可動取付枠を設け、可動取付枠の前側にトラクターＴに取り付けるためのトラクター取付部11，12を設け、可動取付枠の後側に作業機Ｓを取り付ける作業機取付部13，14を設け、主枠１と可動取付枠の間にアクチェータを設けた。【選択図】図１
0003106672.tif 000002
【実用新案登録請求の範囲】
【請求項１】
作業機の前に装着され対地作業を行なう前装対地作業機において、前装対地作業機の主枠のツールバーより下方に地面下に挿入される耕起体を設け、主枠に対し上下動可能な可動取付枠を設け、可動取付枠の前側にトラクターに取り付けるためのトラクター取付部を設け、可動取付枠の後側に作業機を取り付ける作業機取付部を設け、主枠と可動取付枠の間にアクチェータを設けた前装対地作業機。
【考案の詳細な説明】
【技術分野】
【０００１】
本考案は、圃場を膨軟に耕起する対地作業機において、ロータリやハローなどの耕起作業機や馬鈴薯や豆類の施肥播種機または中耕除草機などの作業機の前に装着され、一行程で圃場の膨軟化と砕土や施肥播種などを可能とする前装対地作業機に関する。
【背景技術】
【０００２】
従来、圃場を膨軟に耕起する対地作業機としては、サブソイラやカルチベータが知られているが、通常これらは単独の作業機としてトラクターに装着されて圃場の膨軟化をする。その後に砕土や施肥播種する作業機をトラクターに装着して作業する。
【０００３】
そのような作業形態では同じ圃場を何度もトラクターで走行することとなり、作業効率が悪く、圃場もトラクターの踏圧により固くなってしまう。そのため、一行程で圃場の膨軟化と砕土や施肥播種などを可能とする前装対地作業機が提案されている。
【０００４】
またその別の用途として、施肥播種機の前装対地作業機として畦間に施行し、その後の中耕除草作業において、その施行跡を中耕除草機のガイドとして、中耕除草機が畦から外れて作物を傷めないようにする。
【０００５】
例えば、特公平５−２８５６３号公報には、トラクタ等の自走する車体に深耕用作業機と砕土用作業機とをその順に前後に並列させた作物栽培床造成装置の技術が示されている。
【０００６】
この装置では、深耕用作業機に砕土用作業機を直接取り付けるもので、砕土用作業機には専用の取付部が設けられ、砕土用作業機に替えて別の一般的な作業機を取り付けることはできない。
【０００７】
そこで、深耕用作業機に一般的な作業機を取り付けるようにして、一台の前装対地作業機で複数の作業を行なえるようにしたものも提案されている。
【０００８】
この前装対地作業機では、後側にトラクターの三点リンク式の連結ヒッチと同様なアームを上下回動自在に設け、そのアームの先に作業機を取り付けるようにしている。なおそのアームは、トラクターの連結ヒッチで全体を持ち上げたとき作業機が無用に垂れ下がらないよう、所定角度以上は下方に回動しないよう規制して設けている。
【特許文献１】特公平５−２８５６３号公報
【考案の開示】
【考案が解決しようとする課題】
【０００９】
前記、特公平５−２８５６３号公報に示される技術のように、前装対地作業機に直接一般的な作業機を取り付けるための取付部を設けることが考えられる。
【００１０】
しかし、トラクターに取り付けた前装対地作業機には地面下に挿入される耕起体が有るため、作業時以外は前装対地作業機を高く持ち上げた状態でないと移動できない。また、作業状態を考慮すると、一般的な作業機を取り付けるための取付部を前装対地作業機の低い位置に設けることはできない。
【００１１】
そのため、一般的な作業機が通常置かれている低い状態では取付部の高さが合わず取り付けられない。取り付けるためには、一般的な作業機を一旦高い台の上に載置した状態とする、という煩わしく危険な作業が必要となる。
【００１２】
一方、上下回動自在なアームによる取付部では、前装対地作業機を高く持ち上げた状態でもアームの先端が垂れ下がっており、一般的な作業機を取り付けることはできる。
【００１３】
しかし、作業中は上下回動自在なアームがほぼ水平に伸びるため、トラクターと作業機の位置が離れ、施肥播種機のように圃場の畦合せが要求される作業で横傾斜が有ると、畦合せが非常に難しくなる。
【００１４】
また、一般的な作業機が施肥播種機のように圃場に対する開溝器を有するもの、つまり通常置かれている状態で取付部の高さが高い作業機では、作業時以外の移動や旋回時にトラクターの連結ヒッチを最大に持ち上げても、垂れ下がったアームに取り付けた作業機の低い位置の開溝器が地表から離れず、作業ができない。
【００１５】
またさらに、一般的な作業機はトラクターの三点リンク式の連結ヒッチに取り付けることを前提としているため、圃場との高さ位置を一定に保つため地表を走行するゲージ輪を具えている。しかし、上下回動自在なアームで前装対地作業機と作業機を連結すると前装対地作業機の対地高さは作業機の対地高さに影響されず、トラクターの三点リンク式の連結ヒッチの対地高さに影響されることになる。そのため、トラクターの運転者は走行方向を畦に合わせつつ連結ヒッチの対地高さに注意を払うという、気の抜けない作業を要求される。
【００１６】
そこで本考案は、一般的な作業機が通常置かれている低い状態でも簡単に取り付けられ、トラクターと作業機の位置が離れずに畦合せが容易な、トラクターの連結ヒッチを持ち上げた時に作業機が垂れ下がらず通常置かれている状態で取付部の高さが高い作業機でも作業でき、前装対地作業機の対地高さが作業機の対地高さに従いトラクターの運転者の負担を軽減する、前装対地作業機を提供することを目的とする。
【課題を解決するための手段】
【００１７】
本考案による前装対地作業機は、作業機Ｓの前に装着され対地作業を行なう前装対地作業機１において、前装対地作業機１の主枠２のツールバー３より下方に地面下に挿入される耕起体21を設け、主枠２に対し上下動可能な可動取付枠10を設け、可動取付枠10の前側にトラクターＴに取り付けるためのトラクター取付部11，12を設け、可動取付枠10の後側に作業機Ｓを取り付ける作業機取付部13，14を設け、主枠１と可動取付枠10の間にアクチェータ15を設けたものである。
【考案の効果】
【００１８】
本考案によれば、前装対地作業機１の主枠２のツールバー３より下方に地面下に挿入される耕起体21を設け、主枠２に対し上下動可能な可動取付枠10を設け、可動取付枠10の前側にトラクターＴに取り付けるためのトラクター取付部11，12を設け、可動取付枠10の後側に作業機Ｓを取り付ける作業機取付部13，14を設け、主枠１と可動取付枠10の間にアクチェータ15を設けたので、トラクター取付部11，12及び作業機取付部13，14に対して主枠２のツールバー３に取り付けた耕起体21を上昇させることができるから、トラクターＴの三点リンク式の連結ヒッチを低くして作業機Ｓが低い状態でも簡単に取り付けられる。
【００１９】
また、可動取付枠10の前側にトラクターＴに取り付けるためのトラクター取付部11，12を設け、可動取付枠10の後側に作業機Ｓを取り付ける作業機取付部13，14を設けたので、トラクターＴと作業機Ｓの位置が離れないから、圃場に横傾斜が有っても畦合せが容易となる。
【００２０】
また、可動取付枠10の後側に作業機Ｓを取り付ける作業機取付部13，14を設けたので、トラクターＴの連結ヒッチを持ち上げた時に作業機Ｓが垂れ下がらないから、通常置かれている状態で取付部の高さが高い作業機Ｓでも高く持ち上げることができ、作業が可能となる。
【００２１】
また、可動取付枠10の前側にトラクターＴに取り付けるためのトラクター取付部11，12を設け、可動取付枠10の後側に作業機Ｓを取り付ける作業機取付部13，14を設け、主枠１と可動取付枠10の間にアクチェータ15を設けたので、前装対地作業機１の対地高さをアクチェータ15を作動させて一度決めるとその後の対地高さが作業機Ｓの対地高さに従うから、前装対地作業機１の対地高さに注意を払うことなくトラクターＴの運転者の負担を軽減する。
【考案を実施するための最良の形態】
【００２２】
一般的な作業機Ｓが通常置かれている低い状態でも簡単に取り付けられ、トラクターＴと作業機Ｓの位置が離れずに畦合せが容易な、トラクターＴの連結ヒッチを持ち上げた時に作業機Ｓが垂れ下がらず通常置かれている状態で取付部の高さが高い作業機Ｓでも作業でき、前装対地作業機１の対地高さが作業機Ｓの対地高さに従いトラクターＴの運転者の負担を軽減する、前装対地作業機１を提供するという目的を、前装対地作業機１の主枠２のツールバー３より下方に地面下に挿入される耕起体21を設け、主枠２に対し上下動可能な可動取付枠10を設け、可動取付枠10の前側にトラクターＴに取り付けるためのトラクター取付部11，12を設け、可動取付枠10の後側に作業機Ｓを取り付ける作業機取付部13，14を設け、主枠１と可動取付枠10の間にアクチェータ15を設けて実現した。
【実施例１】
【００２３】
図１は、本考案の一実施例に係る前装対地作業機の作業状態の側面図であって、前装対地作業機としての前装サブソイラ（心土破砕機）１を示している。
【００２４】
前装サブソイラ１の前側に二軸形のトラクターＴを配置し、後側に一般的な作業機としてのアップカットロータリＳを配置している。
【００２５】
前装サブソイラ１の主枠２には、水平方向に長いツールバー３と、ツールバー３の上方に斜めに設けた一対の斜柱４と、一対の斜柱４の上部間を繋ぐ上部枠５と、斜柱４より内側でツールバー３と上部枠５を繋ぎ垂直な一対の垂直柱６を設ける。
【００２６】
主枠２の一対の垂直柱６に対し上下動可能な可動取付枠10を設ける。
【００２７】
可動取付枠10はその正面視が下向き開口のコの字形状に角鋼管を組み合わせたもので、可動取付枠10の一対の垂直部分内に一対の垂直柱６が挿入され、垂直柱６と摺動自在とすることで可動取付枠10を上下動可能としている。
【００２８】
可動取付枠10の前側に、トラクターＴに取り付けるためのトラクター取付部11，12を設ける。
【００２９】
可動取付枠10の前側で下方左右端にトラクター取付部としての一対の下部ヒッチピン11を設け、可動取付枠10の前側で中央上方にトラクター取付部としての上部ヒッチピン12を設け、下部ヒッチピン11と上部ヒッチピン12は可動取付枠10に固定される。
【００３０】
下部ヒッチピン11と上部ヒッチピン12にはそれぞれトラクターＴの三点リンク式の連結ヒッチを取り付ける。これにより、前装サブソイラ１はトラクターＴの後に装着される。
【００３１】
可動取付枠10の後側に、作業機Ｓを取り付ける作業機取付部13，14を設ける。
【００３２】
可動取付枠10の後側で下方左右端に作業機取付部としての一対の下部ヒッチ13を設け、可動取付枠10の後側で中央上方に作業機取付部としての上部リンク14を設け、下部ヒッチ13と上部リンク14にはそれぞれ作業機Ｓの下部ヒッチピンと上部ヒッチピンを取り付ける。これにより、前装サブソイラ１は作業機Ｓの前に装着される。
【００３３】
下部ヒッチ13はワンタッチで下から上に持ち上げ装着するもので可動取付枠10に固定されるが、上部リンク14は伸縮自在かつ可動取付枠10に上下回動自在に取り付けられ、作業機Ｓの上部ヒッチピンの位置が異なっても取り付けられるようにする。
【００３４】
主枠１のツールバー３と可動取付枠10の間に、一対のアクチェータ15を設ける。
【００３５】
可動取付枠10の両側から下方のツールバー３に向けてアクチェータとしての油圧シリンダー15を設け、油圧シリンダー15はトラクターＴの油圧源に連結されて伸縮し、油圧シリンダー15が伸縮することにより可動取付枠10が垂直柱６に沿って上下動する。
【００３６】
ツールバー３より下方に地面下に挿入される複数の耕起体21を設ける。
【００３７】
耕起体21はシャンクとその先端のチゼルにより対地作業を行ない、圃場を膨軟化する。
【００３８】
耕起体21の上方に垂直なホルダー22を設け、耕起体21に無用の力が加わったときにボルトが切断して後方に回動して逃げるようにホルダー22に取り付ける。
【００３９】
ホルダー22はクランブ23によりツールバー３に固定されるが、耕起体21の高さやツールバー３の長手に沿った位置を調節可能としている。
【００４０】
次に、前装サブソイラ１の使用方法について説明する。
【００４１】
まず、前装サブソイラ１をトラクターＴの後に装着する。このときトラクターＴの連結ヒッチを上下することにより容易に装着できる。
【００４２】
続いて、油圧シリンダー15をトラクターＴの油圧源に連結し、油圧シリンダー15を縮めて可動取付枠10を垂直柱６に沿って下動させる。これにより、耕起体21と下部ヒッチピン11や下部ヒッチ13が高さ方向で近くなる。
【００４３】
トラクターＴの連結ヒッチを上昇させて前装サブソイラ１を少し持ち上げ、前装サブソイラ１に作業機Ｓを取り付ける。
【００４４】
圃場までの移動のときにも、可動取付枠10を垂直柱６に沿って下動させたままの方が、作業機Ｓをむやみに持ち上げなくとも耕起体21が路面と離れて安全である。
【００４５】
圃場で作業を開始する際には、油圧シリンダー15を伸ばして可動取付枠10を垂直柱６に沿って上動させ、前装サブソイラ１の対地高さを調節する。
【００４６】
以上の実施例では、前装対地作業機として前装サブソイラ１の例を示したが、前装対地作業機は作業機Ｓの前に装着され地面下に挿入される耕起体により対地作業を行なうものであれば良く、カルチベータなどでも良い。
【００４７】
また、作業機としてアップカットロータリＳの例を示したが、作業機は一般的にトラクターＴに装着されるものであれば良く、その他の耕起整地作業機や施肥播種機または中耕除草作業機などでも良い。
【００４８】
また、下部ヒッチ13はワンタッチで下から上に持ち上げ装着するものを示したが、又になった取付部とドッキング・ピンで固定するものや、他の取り付け方でも良い。
【００４９】
また、アクチェータとして油圧シリンダー15の例を示したが、アクチェータは可動取付枠10を上下動させるものであれば良く、電動シリンダーなどでも良い。
【図面の簡単な説明】
【００５０】
【図１】前装対地作業機の一実施例を示す側面図である。
【図２】その正面図である。
【図３】図２の作動状態を示す図である。
【図４】図１の一部を切り欠いた部分拡大図である。
【符号の説明】
【００５１】
１  前装対地作業機としての前装サブソイラ
２  主枠
３  ツールバー
10  可動取付枠
11  トラクター取付部としての下部ヒッチピン
12  トラクター取付部としての上部ヒッチピン
13  作業機取付部としての下部ヒッチ
14  作業機取付部としての上部リンク
15  アクチェータとしての油圧シリンダー
21  耕起体
Ｓ  作業機
Ｔ  トラクター
【図１】
0003106672.tif 000003
【図２】
0003106672.tif 000004
【図３】
0003106672.tif 000005
【図４】
0003106672.tif 000006